Podtech/llm-jp-corpus-v4-ja_patent huggingface dataset:
【手続補正書】
【提出日】平成28年1月26日(2016.1.26)
【手続補正１】
【補正対象書類名】特許請求の範囲
【補正対象項目名】全文
【補正方法】変更
【補正の内容】
【特許請求の範囲】
【請求項１】
第１の感知領域に関連付けられ、前記第１の感知領域の第１のゾーングループからの熱放射線を感知する第１の感知素子と、前記第１の感知領域の第２のゾーングループからの熱放射線を感知する第２の感知素子とを含む第１のパッシブ赤外線センサであって、前記第１のパッシブ赤外線センサの第１の感知素子と第２の感知素子とは別個の素子である当該第１のパッシブ赤外線センサと、
第２の感知領域に関連付けられ、前記第２の感知領域の第１のゾーングループからの熱放射線を感知する第１の感知素子と、前記第２の感知領域の第２のゾーングループからの熱放射線を感知する第２の感知素子とを含む第２のパッシブ赤外線センサであって、前記第２のパッシブ赤外線センサの第１の感知素子と第２の感知素子とは別個の素子である当該第２のパッシブ赤外線センサと、
を含み、
前記第１及び第２の感知領域は、前記第２の感知領域のゾーンに重なる前記第１の感知領域のゾーンが、検出セルを画定し、重ならないゾーンが別の検出セルを画定するように、部分的に重なり、
各検出セルは、前記第１のパッシブ赤外線センサの前記第１及び第２の感知素子からの入力信号に基づく第１の出力信号の所定の振幅及び所定の符号と、前記第２のパッシブ赤外線センサの前記第１及び第２の感知素子からの入力信号に基づく第２の出力信号の所定の振幅及び所定の符号とによって表され、
どの検出セルに熱源が位置付けられているのかを決定するために、前記第１の出力信号の前記所定の振幅及び前記所定の符号と前記第２の出力信号の前記所定の振幅及び前記所定の符号とを、検出セルのうちの１つに関連付ける処理ユニットを更に含む、パッシブ赤外線センサシステム。
【請求項２】
前記第１の感知領域の前記第１のゾーングループのゾーンと、前記第１の感知領域の前記第２のゾーングループのゾーンとは、交互に配置され、前記第２の感知領域の前記第１のゾーングループのゾーンと、前記第２の感知領域の前記第２のゾーングループのゾーンとは、交互に配置される、請求項１に記載のパッシブ赤外線センサシステム。
【請求項３】
前記第１の出力信号を、少なくとも２つ、好適には少なくとも４つのレベルに量子化し、及び／又は、前記第２の出力信号を、少なくとも２つ、好適には少なくとも４つのレベルに量子化する量子化手段を更に含む、請求項１に記載のパッシブ赤外線センサシステム。
【請求項４】
前記第１のパッシブ赤外線センサにおいて配置され、前記第１の出力信号を、少なくとも２つ、好適には少なくとも４つのレベルに量子化する第１の量子化手段、及び／又は、
前記第２のパッシブ赤外線センサにおいて配置され、前記第２の出力信号を、少なくとも２つ、好適には少なくとも４つのレベルに量子化する第２の量子化手段を更に含む、請求項１に記載のパッシブ赤外線センサシステム。
【請求項５】
重なり合うゾーンを有する前記検出セルの数は、量子化レベルの数以上である、請求項３又は４に記載のパッシブ赤外線センサシステム。
【請求項６】
各検出セルは、前記第１の出力信号の所定の振幅及び所定の符号と、前記第２の出力信号の所定の振幅及び所定の符号との一意の組み合わせによって表される、請求項１に記載のパッシブ赤外線センサシステム。
【請求項７】
前記第１の感知領域の前記第１のゾーングループからの熱放射線を、前記第１のパッシブ赤外線センサの前記第１の感知素子上に、また、前記第１の感知領域の前記第２のゾーングループからの熱放射線を、前記第１のパッシブ赤外線センサの前記第２の感知素子上に向ける第１の光学的手段と、
前記第２の感知領域の前記第１のゾーングループからの熱放射線を、前記第２のパッシブ赤外線センサの前記第１の感知素子上に、また、前記第２の感知領域の前記第２のゾーングループからの熱放射線を、前記第２のパッシブ赤外線センサの前記第２の感知素子上に向ける第２の光学的手段と、
を更に含む、請求項１に記載のパッシブ赤外線センサシステム。
【請求項８】
前記第１のパッシブ赤外線センサの前記第１及び第２の感知素子が、相対する入力部に有線接続され、前記第１のパッシブ赤外線センサの前記第１及び第２の感知素子からの前記入力信号に基づいて前記第１の出力信号を提供する第１の差動電子コンポーネントと、
前記第２のパッシブ赤外線センサの前記第１及び第２の感知素子が、相対する入力部に有線接続され、前記第２のパッシブ赤外線センサの前記第１及び第２の感知素子からの前記入力信号に基づいて前記第２の出力信号を提供する第２の差動電子コンポーネントと、
を更に含む、請求項１に記載のパッシブ赤外線センサシステム。
【請求項９】
前記第１の差動電子コンポーネントは、前記第１のパッシブ赤外線センサの前記第１及び第２の感知素子からの入力信号を減算することによって、前記第１の出力信号を提供し、前記第２の差動電子コンポーネントは、前記第２のパッシブ赤外線センサの前記第１及び第２の感知素子からの入力信号を減算することによって、前記第２の出力信号を提供する、請求項８に記載のパッシブ赤外線センサシステム。
【請求項１０】
ノイズ及び／若しくは連続信号成分を除去するために前記第１の出力信号をフィルタリングする第１のフィルタ、並びに／又は、
ノイズ及び／若しくは連続信号成分を除去するために前記第２の出力信号をフィルタリングする第２のフィルタを更に含む、請求項１に記載のパッシブ赤外線センサシステム。
【請求項１１】
前記処理ユニットは、所定の時間間隔において、どの検出セルに熱源が位置付けられているのかを決定する、請求項１に記載のパッシブ赤外線センサシステム。
【請求項１２】
前記処理ユニットは、熱源の動き方向を決定する、請求項１に記載のパッシブ赤外線センサシステム。
【請求項１３】
前記第１及び第２の出力信号に基づいて前記第１及び第２の感知領域の構成を決定する校正ユニットを更に含む、請求項１に記載のパッシブ赤外線センサシステム。
【請求項１４】
前記校正ユニットは、前記第１及び第２の感知領域のカバレッジ、向き及び空間的重なりのうちの１つ以上を決定する、請求項１３に記載のパッシブ赤外線センサシステム。
【請求項１５】
請求項１に記載のパッシブ赤外線センサシステムを含む照明システム。
【手続補正書】
【提出日】平成28年2月12日(2016.2.12)
【手続補正１】
【補正対象書類名】特許請求の範囲
【補正対象項目名】全文
【補正方法】変更
【補正の内容】
【特許請求の範囲】
【請求項１】
ドアの回動運動を容易にするアクチュエータ付きヒンジ組立体であって、前記ヒンジ組立体は、
第１のヒンジ部材と、
前記第１のヒンジ部材に回動可能に結合された第２のヒンジ部材と、
前記第１のヒンジ部材に作動的に結合された動力式アクチュエータとを含み、前記アクチュエータは、前記第１のヒンジ部材と前記第２のヒンジ部材の互いに対する相対回転を生じさせるよう構成され、
前記第１のヒンジ部材及び前記第２のヒンジ部材のうちの一方のヒンジ部材は、前記ドアに取り付け可能に構成され、前記第１のヒンジ部材及び前記第２のヒンジ部材のうちの他方のヒンジ部材は、前記ドアのドアフレームに取り付け可能に構成されている、アクチュエータ付きヒンジ組立体。
【請求項２】
前記第１のヒンジ部材は、前記ドアフレームに取り付け可能に構成されている、請求項１記載のアクチュエータ付きヒンジ組立体。
【請求項３】
前記第１のヒンジ部材は、前記動力式アクチュエータに連結された電力導管を有し、前記電力導管は、前記ドアから離れたところに且つ前記ドアフレームに隣接して配置された外部電力源に結合可能に構成されている、請求項２記載のアクチュエータ付きヒンジ組立体。
【請求項４】
前記ヒンジ組立体は、前記ヒンジ組立体及び前記ドアがドア組立体として提供されるよう前記第２のヒンジ部材によって前記ドアに取り付けられている、請求項２記載のアクチュエータ付きヒンジ組立体。
【請求項５】
前記第１のヒンジ部材のハウジング部分上でこれに沿って摺動する前記第２のヒンジ部材のスリーブ部分を更に含み、前記第１のヒンジ部材のピボット軸線は、前記第２のヒンジ部材のピボット軸線と同一直線状に位置する、請求項２記載のアクチュエータ付きヒンジ組立体。
【請求項６】
前記第１のヒンジ部材は、前記ヒンジ組立体及び前記ドアがドア組立体として提供されるよう前記ドアに取り付けられている、請求項１記載のアクチュエータ付きヒンジ組立体。
【請求項７】
前記第１のヒンジ部材は、前記動力式アクチュエータに連結された電力導管を有し、前記電力導管は、前記ドアから離れたところに且つ前記ドアフレームに隣接して配置された外部電力源に結合可能に構成されている、請求項６記載のアクチュエータ付きヒンジ組立体。
【請求項８】
前記第２のヒンジ部材は、前記ドアフレームに取り付け可能に構成されている、請求項６記載のアクチュエータ付きヒンジ組立体。
【請求項９】
前記第２のヒンジ部材は、前記電力導管を前記ドアフレーム中に差し向ける通路を有する、請求項８記載のアクチュエータ付きヒンジ組立体。
【請求項１０】
前記動力式アクチュエータによって駆動される歯車装置を更に含み、前記歯車装置は、前記第２のヒンジ部材に連結されている、請求項１記載のアクチュエータ付きヒンジ組立体。
【請求項１１】
前記動力式アクチュエータは、電気モータである、請求項１０記載のアクチュエータ付きヒンジ組立体。
【請求項１２】
前記歯車装置は、駆動されると、前記第２のヒンジ部材に加えられる出力トルクをもたらし、前記出力トルクは、前記第２のヒンジ部材のピボット軸線と一線をなす、請求項１０記載のアクチュエータ付きヒンジ組立体。
【請求項１３】
前記歯車装置は、遊星歯車装置である、請求項１０記載のアクチュエータ付きヒンジ組立体。
【請求項１４】
前記ヒンジ組立体は、前記ドアに取り付けられ、前記ドアは、ラッチ止め要素及び前記ラッチ止め要素の位置を伸長位置と引っ込み位置との間で操作するよう構成されたラッチアクチュエータを含むドアラッチを有し、前記ラッチ止め要素は、前記伸長位置にあるとき、前記ドアを閉じ位置に保持するよう前記ドアフレームに設けられた受け具によって受け入れられるよう構成され、前記ヒンジ組立体と前記ドアラッチと前記ドアは、ドア組立体として提供されるようになっている、請求項３記載のアクチュエータ付きヒンジ組立体。
【請求項１５】
コントローラユニットを更に含み、前記コントローラユニットは、プロセッサ及び物理メモリに記憶されていて、第２の作動信号を前記ラッチアクチュエータに提供するよう前記プロセッサによって実行可能な１組の命令を含む、請求項１４記載のアクチュエータ付きヒンジ組立体。
【請求項１６】
第２の作動信号が前記ラッチ止め要素の前記位置を前記引っ込み位置に向かって操作した後、第１の作動信号が前記相対回転を生じさせるよう前記動力式アクチュエータの作動を可能にし、前記ドアは、前記相対回転に起因して前記閉じ位置から開き位置に操作される、請求項１５記載のアクチュエータ付きヒンジ組立体。
【請求項１７】
第１の作動信号が前記相対回転を生じさせるよう前記動力式アクチュエータの作動を可能にし、前記第２の作動信号ではなく、ばね機構体が前記ラッチ止め要素の前記位置を前記伸長位置に向かって操作するために用いられ、前記ドアは、前記相対回転に起因して開き位置から前記閉じ位置に操作される、請求項１５記載のアクチュエータ付きヒンジ組立体。
【請求項１８】
前記コントローラユニットは、ワイヤレス受信機を含み、前記１組の命令は、前記コントローラユニットの送信範囲内に位置するワイヤレストランスポンダからのドア操作信号を前記ワイヤレス受信機によって受信し、そしてこれに応答して前記第２の作動信号を発生させるよう前記プロセッサによって実行可能である、請求項１５記載のアクチュエータ付きヒンジ組立体。
【請求項１９】
前記ヒンジ組立体は、前記ドアに取り付けられ、前記ドアは、ラッチ止め要素及び前記ラッチ止め要素の位置を伸長位置と引っ込み位置との間で操作するよう構成されたラッチアクチュエータを含むドアラッチを有し、前記ラッチ止め要素は、前記伸長位置にあるとき、前記ドアを閉じ位置に保持するよう前記ドアフレームに設けられた受け具によって受け入れられるよう構成され、前記ヒンジ組立体と前記ドアラッチと前記ドアは、ドア組立体として提供されるようになっている、請求項７記載のアクチュエータ付きヒンジ組立体。
【請求項２０】
コントローラユニットを更に含み、前記コントローラユニットは、プロセッサ及び第２の作動信号を前記ラッチアクチュエータに提供するよう前記プロセッサによって実行可能な１組の命令を含む、請求項１９記載のアクチュエータ付きヒンジ組立体。
【手続補正書】
【提出日】平成28年1月29日(2016.1.29)
【手続補正１】
【補正対象書類名】特許請求の範囲
【補正対象項目名】全文
【補正方法】変更
【補正の内容】
【特許請求の範囲】
【請求項１】
複数のデータセンターオブジェクトを収容するデータセンター内の熱力学的挙動を計算する方法であって、前記方法が、
（ａ）前記データセンターオブジェクトのそれぞれの物理的および論理的特性を取得するステップと、
（ｂ）前記データセンターの物理的および論理的特性を取得するステップと、
（ｃ）前記データセンターオブジェクトおよび将来のデータセンターオブジェクトの追跡に関するデータを取得するステップと、
（ｄ）前記データセンターの環境条件情報を取得するステップと、
（ｅ）ステップ（ａ）乃至（ｄ）で取得された情報に基づいて、対応する第１の計算流体力学（ＣＦＤ）モデルが利用可能であるか否かを判断するステップと、
（ｆ）前記第１のＣＦＤモデルが利用可能であるとき、前記第１のＣＦＤモデルを使用して第１のＣＦＤデータ出力パケットを生成するために、ＣＦＤ分析要求パケットをＣＦＤ解決モジュールに送信するステップであって、前記ＣＦＤ分析要求パケットはステップ（ａ）乃至（ｄ）で取得された前記情報を含み、前記第１のＣＦＤデータ出力パケットは前記データセンターの予測された熱力学的挙動モデルを含む、ステップと、
（ｇ）前記対応する第１のＣＦＤモデルが利用可能でないとき、第２のＣＦＤモデルを生成し、前記第２のＣＦＤモジュールを使用して、第２のＣＦＤデータ出力パケットを生成するために、前記ＣＦＤ解決モジュールに指示するように、ＣＦＤモデル要求パケットを前記ＣＦＤ解決モジュールに送信するステップであって、前記ＣＦＤモデル要求パケットはステップ（ａ）乃至（ｄ）で取得された前記情報を含み、前記第２のＣＦＤデータ出力パケットは前記データセンターの予測された熱力学的挙動モデルを含む、ステップと、
（ｈ）前記第１又は第２のＣＦＤデータ出力パケットを生成すると、前記第１又は第２のＣＦＤモデルの較正を検証するために、オプションを提示するステップと、
（ｉ）前記第１又は第２のＣＦＤモデルのそれぞれの較正を検証するための前記オプションが選択されないとき、前記データセンターの前記予測された熱力学的挙動モデルを視覚的に表すステップと、
（ｊ）前記第１のＣＦＤモデルの前記較正を検証するための前記オプションが選択されているとき、前記第１のＣＦＤデータ出力パケットをモジュールに送信するステップであって、前記モジュールは、前記第１のＣＦＤデータ出力パケットを使用して前記第１のＣＦＤモデルを更新する、ステップと、
（ｋ）前記第２のＣＦＤモデルの前記較正を検証するための前記オプションが選択されているとき、前記第２のＣＦＤデータ出力パケットを前記モジュールに送信するステップであって、前記モジュールは、前記第２のＣＦＤデータ出力パケットを第３のＣＦＤモデルとして保存する、ステップと、
（ｌ）前記更新された第１のＣＦＤモデルから更新された第１のＣＦＤデータ出力パケットを出力するか、又は、前記第３のＣＦＤモデルから第３のＣＦＤデータ出力パケットを出力するステップであって、前記更新された第１のＣＦＤデータ出力パケットおよび前記第３のＣＦＤデータ出力パケットのそれぞれは、前記データセンターの予測された熱力学的挙動モデルを含む、ステップと、
（ｍ）前記更新された第１のＣＦＤデータ出力パケット又は前記第３のＣＦＤデータ出力パケットに基づいて、前記データセンターの前記予測された熱力学的挙動モデルを前記データセンターの実際の熱力学的挙動と比較するステップと、
（ｎ）前記比較があらかじめ定義された閾値の範囲内であるとき、前記更新された第１又は第３のＣＦＤモデルのそれぞれが較正されていると判断し、ステップ（ｄ）に戻るステップと、
（ｏ）前記比較が前記あらかじめ定義された閾値の範囲外であるとき、前記更新された第１又は第３のＣＦＤモデルのそれぞれが較正されていないと判断し、ステップ（ａ）に戻るステップと
を含む、方法。
【請求項２】
前記ステップ（ａ）乃至（ｄ）のうちの少なくとも１つが、少なくとも１つの発見機器によって、
前記データセンターオブジェクトおよび前記データセンターのそれぞれの前記物理的および論理的特性と、
前記データセンターオブジェクトおよび将来のデータセンターオブジェクトの前記追跡に関する前記データと、
前記データセンターの前記環境条件情報と
を動的に取得することを含む、請求項１に記載の方法。
【手続補正書】
【提出日】平成28年2月25日(2016.2.25)
【手続補正１】
【補正対象書類名】特許請求の範囲
【補正対象項目名】全文
【補正方法】変更
【補正の内容】
【特許請求の範囲】
【請求項１】
自身によって少なくとも部分的に定義された少なくとも１つの加圧ガス貯留室を含むバルブ本体と、
前記バルブ本体の内部に収容され、バルブ開放位置とバルブ閉鎖位置との間を移動可能なゲート部材と、
前記貯留室の中に格納された加圧ガスの流れを開始させ、かつ前記バルブ開放位置から前記バルブ閉鎖位置まで前記ゲート部材を移動させるように構成されたアクチュエータアセンブリと、を有するバルブ。
【請求項２】
前記バルブ本体は、対向する一対の側壁部を有し、前記少なくとも１つの加圧ガス貯留室は、前記一対の側壁部の少なくとも１つの中に形成される請求項１に記載のバルブ。
【請求項３】
前記一対の側壁部のそれぞれは、内部に形成された複数の前記加圧ガス貯留室の内の１つを含む請求項２に記載のバルブ。
【請求項４】
前記ゲート部材は、前記バルブ本体の内部に形成されたチャンバの中に収容されるように構成されたピストン本体を含む請求項１〜３のいずれか１項に記載のバルブ。
【請求項５】
前記アクチュエータアセンブリは、その作動時に、前記少なくとも１つの貯留室の中に格納された加圧ガスを前記チャンバに流れ込ませるように構成される請求項４に記載のバルブ。
【請求項６】
前記バルブ本体は、前記少なくとも１つの貯留室を前記チャンバに流体接続する流路を少なくとも部分的に定義する請求項５に記載のバルブ。
【請求項７】
前記アクチュエータアセンブリは、常時前記流路を流体閉塞する関係に配置されたシールを含み、前記貯留室の内部の加圧ガスは、前記アクチュエータアセンブリの作動時に、加圧ガスを前記貯留室から前記チャンバに流し込むことができるようにするために、前記流路を閉塞する関係から前記シールを移動させる請求項６に記載のバルブ。
【請求項８】
前記シールは、前記加圧ガス貯留室の内部に格納された加圧ガスが前記シールに及ぼす力によって、常時前記流路の少なくとも一部を流体閉塞する関係に保持される請求項７に記載のバルブ。
【請求項９】
前記シールは、内部に形成された、前記加圧ガス貯留室の内部の加圧ガスを前記流路に直接面する関係にない前記シールの部分に流すことができるようにする開口を有する請求項８に記載のバルブ。
【請求項１０】
前記アクチュエータアセンブリは、その作動時に、前記バルブ閉鎖位置に前記ゲート部材を移動させるように、前記流路に直接面する関係にない前記シールの前記部分に作用する加圧ガスの解放を引き起こし、それによって前記流路を流体閉塞する関係から前記シールを移動させることができるようにし、前記加圧ガスを前記加圧ガス貯留室から前記チャンバに流し込むことができるようにする請求項９に記載のバルブ。
【請求項１１】
前記アクチュエータアセンブリは、ソレノイドを含む請求項１〜１０のいずれか１項に記載のバルブ。
【請求項１２】
ピストン本体を含むゲート部材が内部にスライド可能に収容されるバルブ本体と、
バルブ開放位置とバルブ閉鎖位置との間に前記ゲート部材を移動させるように構成された前記ピストン本体が内部に収容されるチャンバと、
流路によって前記チャンバに流体接続された加圧ガス貯留室と、
前記バルブ開放位置から前記バルブ閉鎖位置まで前記ゲート部材を移動させるために、前記貯留室の中に格納された加圧ガスの前記チャンバの中への流れを開始させるように構成されたアクチュエータアセンブリと、を有し、
前記アクチュエータアセンブリは、シールを含み、前記シールは、前記加圧ガス貯留室の内部に格納された加圧ガスが前記シールに及ぼす力によって、常時前記流路の少なくとも一部を閉塞する関係に保持され、
前記シールは、前記アクチュエータアセンブリの作動時に、前記流路を閉塞する関係から移動可能であり、それによって前記加圧ガス貯留室と前記チャンバとの間を連通することができるようにするバルブ。
【請求項１３】
前記チャンバは、前記バルブ本体の中に形成される請求項１２に記載のバルブ。
【請求項１４】
前記加圧ガス貯留室は、前記バルブ本体によって少なくとも部分的に定義される請求項１２または１３に記載のバルブ。
【請求項１５】
前記バルブ本体は、対向する一対の側壁部を有し、前記加圧ガス貯留室は、前記一対の側壁部の少なくとも１つの中に形成される請求項１４に記載のバルブ。
【請求項１６】
前記バルブ本体は、一対の加圧ガス貯留室を有し、前記一対の加圧ガス貯留室のそれぞれは、各側壁部の中に形成される請求項１５に記載のバルブ。
【請求項１７】
前記シールは、内部に形成された、前記加圧ガス貯留室の内部の加圧ガスを前記流路に直接面する関係にない前記シールの部分に流すことができるようにする開口を有する請求項１２〜１６のいずれか１項に記載のバルブ。
【請求項１８】
前記アクチュエータアセンブリは、その作動時に、前記バルブ閉鎖位置に前記ゲート部材を移動させるように、前記流路に直接面する関係にない前記シールの前記部分に作用する加圧ガスの解放を引き起こし、それによって前記流路を流体閉塞する関係から前記シールを移動させることができるようにし、前記加圧ガスを前記加圧ガス貯留室から前記チャンバに流し込むことができるようにする請求項１７に記載のバルブ。
【請求項１９】
前記バルブ本体は、前記加圧ガス貯留室を前記チャンバに接続する前記流路を少なくとも部分的に定義する請求項１２〜１８のいずれか１項に記載のバルブ。
【手続補正書】
【提出日】平成28年2月18日(2016.2.18)
【手続補正１】
【補正対象書類名】特許請求の範囲
【補正対象項目名】全文
【補正方法】変更
【補正の内容】
【特許請求の範囲】
【請求項１】
電気ヒータを制御することによりディーゼル酸化触媒（ＤＯＣ）とディーゼル微粒子除去装置（ＤＰＦ）を備える排ガス後処理システムの排気温度を制御するヒータ制御モジュールであって、
エンジン負荷と前記ＤＰＦの状態に基づき複数の加熱モードから望ましい加熱モードを選択する加熱モード判定モジュール、
前記望ましい加熱モードに基づき前記電気ヒータを動作させるヒータ操作モジュール、
を備え、
前記複数の加熱モードは、受動再生加熱モードと能動再生加熱モードを少なくとも含み、
前記電気ヒータは、前記ＤＰＦが能動再生しておらずかつエンジン負荷が１０％以下であるとき、前記受動再生加熱モードで動作して排ガスを所定温度まで加熱しＮＯ２生成を増やす
ことを特徴とするヒータ制御モジュール。
【請求項２】
前記電気ヒータは、前記ＤＰＦが能動再生しているとき、前記能動再生加熱モードで動作して差動加熱を提供する
ことを特徴とする請求項１記載のヒータ制御モジュール。
【請求項３】
前記電気ヒータは、前記能動再生加熱モードで動作して排気管を交差する温度勾配を減少させる
ことを特徴とする請求項２記載のヒータ制御モジュール。
【請求項４】
前記電気ヒータは、差動加熱を提供して排気管を交差する温度勾配を減少させる
ことを特徴とする請求項２記載のヒータ制御モジュール。
【請求項５】
前記電気ヒータは、低ワット密度ゾーンと高ワット密度ゾーンを有する
ことを特徴とする請求項４記載のヒータ制御モジュール。
【請求項６】
前記電気ヒータの前記差動加熱は、前記電気ヒータの周辺近傍により多くの熱を生成し、前記排気管の中央近傍により少ない熱を生成する
ことを特徴とする請求項５記載のヒータ制御モジュール。
【請求項７】
前記高ワット密度ゾーンは、前記電気ヒータの周辺近傍である
ことを特徴とする請求項５記載のヒータ制御モジュール。
【請求項８】
前記低ワット密度ゾーンは、前記電気ヒータの中央近傍である
ことを特徴とする請求項５記載のヒータ制御モジュール。
【請求項９】
前記所定温度は、前記ＤＯＣの触媒特性の関数である
ことを特徴とする請求項１記載のヒータ制御モジュール。
【請求項１０】
前記所定温度は、３００〜４６０℃の範囲である
ことを特徴とする請求項１記載のヒータ制御モジュール。
【請求項１１】
前記所定温度は、３２０〜３８０℃の範囲である
ことを特徴とする請求項１記載のヒータ制御モジュール。
【手続補正書】
【提出日】平成27年12月24日(2015.12.24)
【手続補正１】
【補正対象書類名】明細書
【補正対象項目名】００８３
【補正方法】変更
【補正の内容】
【００８３】
当業者に明らかになるように、実装は、例えば格納又は送信され得る情報を伝達するようにフォーマットされた様々な信号を生成してもよい。情報は、例えば、方法を実行する命令又は記載の実装のうち１つにより生成されたデータを含んでもよい。例えば、信号は、記載の実施例のビットストリームを伝達するようにフォーマットされてもよい。このような信号は、例えば、電磁波（例えば、スペクトルの無線周波数部分を使用するもの）又はベースバンド信号としてフォーマットされてもよい。フォーマットは、例えば、データストリームを符号化し、符号化されたデータストリームでキャリアを変調することを含んでもよい。信号が伝達する情報は、例えば、アナログ又はデジタル情報でもよい。信号は、既知のように、様々な異なる有線又は無線回線で送信されてもよい。信号は、プロセッサ読み取り可能媒体に格納されてもよい。
以上の実施例に関し、更に、以下の項目を開示する。
（付記１）3Dモデルを表すビットストリームを復号化する方法であって、
パターンのインスタンスが前記パターンの特性を使用するか否かを前記ビットストリームから判断するステップであり、前記パターンは前記3Dモデルの構造に関連し、前記インスタンスは前記パターンの変換として表されるステップと、
前記パターンの前記特性に応じて前記インスタンスの特性を判断するステップであり、前記インスタンスの前記特性は、テクスチャ、テクスチャ座標、色及び法線のうち１つに対応するステップと
を有する方法。
（付記２）前記インスタンスの前記特性と前記パターンの前記特性との間の差分を前記ビットストリームから判断するステップを更に有し、
前記インスタンスの前記特性を判断するステップは、前記インスタンスの前記特性と前記パターンの前記特性との間の前記判断された差分に更に応じる、付記１に記載の方法。
（付記３）3Dモデルを表すビットストリームを生成する方法であって、
パターンのインスタンスにアクセスするステップであり、前記パターンは前記3Dモデルの構造に関連し、前記インスタンスは前記パターンの変換として表されるステップと、
前記インスタンスの特性が前記パターンの特性を使用して符号化されたか否かを前記ビットストリームにおいて示すステップであり、前記インスタンスの前記特性は、テクスチャ、テクスチャ座標、色及び法線のうち１つに対応するステップと
を有する方法。
（付記４）前記インスタンスの前記特性と前記パターンの前記特性との間の差分を判断するステップと、
前記インスタンスの前記特性と前記パターンの前記特性との間の差分を前記ビットストリームにおいて示すステップと
を更に有する、付記３に記載の方法。
（付記５）前記インスタンスの前記特性は前記テクスチャに対応し、
前記インスタンスのテクスチャのパッチと、前記パターンの対応するテクスチャのパッチとの相関を判断するステップと、
前記インスタンスの前記テクスチャのパッチが前記パターンの対応するテクスチャのパッチを使用して符号化されるか否かを判断するステップと
を更に有する、付記３に記載の方法。
（付記６）前記インスタンスの前記テクスチャのパッチが前記パターンの対応するテクスチャのパッチと同一又はほぼ同一であると判断された場合、前記インスタンスの前記テクスチャのパッチは、テクスチャ画像から除去される、付記５に記載の方法。
（付記７）前記インスタンスの前記テクスチャのパッチが前記パターンの対応するテクスチャのパッチと同一又はほぼ同一であると判断された場合、前記インスタンスの前記テクスチャのパッチの内容は空になる、付記５に記載の方法。
（付記８）前記インスタンスの前記テクスチャのパッチは、前記3Dモデルの一式の隣接する三角形に対応するテクスチャ画像の領域である、付記５に記載の方法。
（付記９）3Dモデルを表すビットストリームを生成する方法であって、
構造に関連するパターンにおける第１の面の頂点の順序を判断するステップと、
複数の特性セットにアクセスするステップであり、前記複数の特性セットの各特性セットは、前記パターンのインスタンスにおける第２の面の対応する頂点に関連するステップと、
前記判断された順序に応じて前記複数の特性セットを並び替えるステップと
を有する方法。
（付記１０）前記パターンにおける前記第１の面に対応する前記インスタンスにおける前記第２の面を判断するステップを更に有する、付記９に記載の方法。
（付記１１）前記第１の複数の特性セットの各特性セットは、テクスチャ座標、テクスチャ画像、色及び法線のうち少なくとも１つを含む、付記９に記載の方法。
（付記１２）付記１ないし１１のうちいずれか１項に記載の方法に従ってビットストリームを生成又は復号化する手段を含む装置。
（付記１３）付記１ないし１１のうちいずれか１項に記載の方法に従ってビットストリームを生成又は復号化する命令を格納したコンピュータ読み取り可能記憶媒体。
（付記１４）付記３ないし１１のうちいずれか１項に記載の方法に従って生成されたビットストリームを格納したコンピュータ読み取り可能記憶媒体。
【手続補正書】
【提出日】平成28年1月8日(2016.1.8)
【手続補正１】
【補正対象書類名】特許請求の範囲
【補正対象項目名】全文
【補正方法】変更
【補正の内容】
【特許請求の範囲】
【請求項１】
システムであって、
複数のデータベースに結合されたプロセッサを含むプラットフォームと、
前記プラットフォームに結合された複数のエージェントを含むグリッドであって、前記複数のエージェントの各エージェントが、クライアント・デバイス上で実行する前記プラットフォームのエージェントである、グリッドと、
前記複数のエージェントに対応する複数のクライアント・デバイスによってアクセス可能なメモリのコンテンツのメタデータであって、各クライアント・デバイスの各エージェントが、前記メタデータを生成し前記プラットフォームに供給し、前記プラットフォームが、前記コンテンツの代わりに前記メタデータを含み、前記コンテンツの位置を判定するために前記メタデータを用い、前記コンテンツの状態を維持するための動作を表す目標を生成し、前記目標に対応する複数のタスクを生成し、各タスクに対応するコンテンツにアクセスすることができるエージェントに前記タスクを割り当て、各タスクが、前記エージェントによってアクセス可能なコンテンツに対してエージェントによって実行されるように前記プラットフォームによって指令される処理動作である、メタデータと、
を含む、システム。
【手続補正書】
【提出日】平成28年2月4日(2016.2.4)
【手続補正１】
【補正対象書類名】特許請求の範囲
【補正対象項目名】全文
【補正方法】変更
【補正の内容】
【特許請求の範囲】
【請求項１】
画像処理サービスを提供するクラウドサーバーで三次元（３Ｄ）医療画像のゲートウェイマネージメントを行うコンピュータにより実行される方法において、
医療画像形成装置により捕獲された３Ｄ医療画像をローカル装置で受け取り、
匿名化テンプレートに基づき前記３Ｄ医療画像に関連したあるメタデータを除去することで前記３Ｄ医療画像を匿名化し、前記匿名化テンプレートは、匿名化されるべき医療画像のデータアイテムに各々対応する複数のエントリを含むものであり、及び
前記ローカル装置のインターネットポートを経て確立されるネットワーク接続を使用して、１組の１つ以上のルールに基づきネットワークを経てクラウドサーバーへ前記匿名化された３Ｄ医療画像を自動的にアップロードする、
ことを含み、前記クラウドサーバーは、前記クラウドサーバーによって提供される複数の画像処理ツールを使用して複数のユーザへ医療画像処理サービスを提供するように構成された、方法。
【請求項２】
更新された３Ｄ医療画像が前記クラウドサーバーに得られることを指示する信号を前記クラウドサーバーから受け取り、
前記更新された３Ｄ医療画像を前記クラウドサーバーから自動的にダウンロードし、
前記更新された３Ｄ医療画像を前記ローカル装置に関連したローカルストレージに記憶する、
ことを更に含む請求項１に記載の方法。
【請求項３】
前記３Ｄ医療画像は、前記画像処理ツールの少なくとも１つを使用して前記クラウドサーバーによって処理されて、前記更新された３Ｄ医療画像を発生する、請求項２に記載の方法。
【請求項４】
前記複数の画像処理ツールは、骨除去、中心線抽出、球発見、登録、パラメータマップ計算、再フォーマット、時間・密度分析、構造体の区分化、まっすぐにしたビュー、直径及び長さ測定、カーブド・プレーナ・リフォーメーション（ＣＰＲ）及び軸方向レンダリングの少なくとも１つを含む、請求項１に記載の方法。
【請求項５】
前記各エントリは、対応するデータアイテムを識別する識別子と、データアイテムのオリジナル値と、そのオリジナル値に置き換わる置き換わり値とを含む、請求項１に記載の方法。
【請求項６】
前記３Ｄ医療画像を匿名化することは、
前記匿名化テンプレートの各エントリに対して、前記３Ｄ医療画像内で対応する識別子をサーチして、前記匿名化テンプレートの対応するオリジナル値に一致する値を有するデータアイテムを位置決めし、及び
前記位置決めしたデータアイテムの値を前記３Ｄ医療画像の対応する置き換え値に置き換える、
ことを含む請求項５に記載の方法。
【請求項７】
コンピュータにより実行されたとき、前記コンピュータに、請求項１から６のいずれかに記載の方法を実行させる命令が記憶された非一時的コンピュータ読み取り可能な記憶媒体。
【請求項８】
プロセッサと、
前記プロセッサに結合されたメモリであって、そのメモリから実行されたときに、前記プロセッサに、請求項１から６のいずれかに記載の方法を実行させる命令を記憶するためのメモリと、
を備えた装置。
【請求項９】
画像処理サービスを提供するクラウドサーバーで三次元（３Ｄ）医療画像のゲートウェイマネージメントを行う装置において、
医療画像形成装置により捕獲された３Ｄ医療画像をローカル装置で受け取るための手段と、
匿名化テンプレートに基づいて前記３Ｄ医療画像に関連したあるメタデータを除去することで前記３Ｄ医療画像を匿名化するための手段であって、前記匿名化テンプレートは、匿名化されるべき医療画像のデータアイテムに各々対応する複数のエントリを含むものである手段と、
前記ローカル装置のインターネットポートを経て確立されるネットワーク接続を使用して、１組の１つ以上のルールに基づきネットワークを経てクラウドサーバーへ前記匿名化された３Ｄ医療画像を自動的にアップロードするための手段と、
を備え、前記クラウドサーバーは、前記クラウドサーバーによって提供される複数の画像処理ツールを使用して、複数のユーザへ医療画像処理サービスを提供するように構成された、装置。
【請求項１０】
医療画像形成装置によって捕獲されて医療データストアに記憶された３Ｄ医療画像を、匿名化テンプレートに基づき、３Ｄ医療画像に関連したあるメタデータを除去することで匿名化するための匿名化装置であって、前記匿名化テンプレートは、匿名化されるべき医療画像のデータアイテムに各々対応する複数のエントリを含むものである匿名化装置と、
データ処理システムのインターネットポートを経て確立されるネットワーク接続を使用して、１組の１つ以上のルールに基づきネットワークを経てクラウドサーバーへ前記匿名化された３Ｄ医療画像を自動的にアップロードするためのデータゲートウェイマネージャーと、
を備え、前記クラウドサーバーは、前記クラウドサーバーによって提供される複数の画像処理ツールを使用して、複数のユーザへ医療画像処理サービスを提供するように構成された、データ処理システム。
【手続補正書】
【提出日】平成28年1月8日(2016.1.8)
【手続補正１】
【補正対象書類名】特許請求の範囲
【補正対象項目名】全文
【補正方法】変更
【補正の内容】
【特許請求の範囲】
【請求項１】
命令から浮動小数点定数値を生成する方法であって、
前記浮動小数点定数値の符号ビットとして、前記命令の第1のフィールドを復号するステップと、
前記命令の第2のフィールドを復号し、前記命令の第4のフィールドから前記第2のフィールドを第1のシフト値だけシフトし、前記シフトされた第2のフィールドを第1の定数値に加算して、前記浮動小数点定数値の指数値を形成するステップと、
前記命令の第3のフィールドを復号し、前記命令の第5のフィールドから前記第3のフィールドを第2のシフト値だけシフトし、前記シフトされた第3のフィールドを第2の定数値に加算して、前記浮動小数点定数値の仮数を形成するステップと、
前記符号ビット、前記指数値、および前記仮数から、前記浮動小数点定数値を生成するステップと
を含む方法。
【請求項２】
前記指数値がバイアスを含む、請求項1に記載の方法。
【請求項３】
前記指数値をバイアス定数に加算して、前記指数値中に含まれる前記バイアスを補償するステップをさらに含む、請求項2に記載の方法。
【請求項４】
前記第1のシフト値および前記第2のシフト値が、前記浮動小数点定数値の所望の精度に基づいて選択される、請求項1に記載の方法。
【請求項５】
前記浮動小数点定数値が、IEEE 754の単精度形式または倍精度形式のうちの1つに従って形成される、請求項1に記載の方法。
【請求項６】
前記第3のフィールドが、前記浮動小数点定数値の前記仮数の最上位ビットを備える、請求項1に記載の方法。
【請求項７】
浮動小数点定数値を生成するための命令であって、
前記浮動小数点定数値の符号ビットに対応する第1のフィールドと、
前記浮動小数点定数値の指数値に対応する第2のフィールドと、
前記浮動小数点定数値の仮数に対応する第3のフィールドと、
第1のシフト値に対応する第4のフィールドと、
第2のシフト値に対応する第5のフィールドと
を備え、
前記第2のフィールドを前記第1のシフト値だけシフトし、前記シフトされた第2のフィールドを第1の定数値に加算することによって、前記指数値が形成され、
前記第3のフィールドを前記第2のシフト値だけシフトし、前記シフトされた第3のフィールドを第2の定数値に加算することによって、前記仮数が形成される、命令。
【請求項８】
前記第1のシフト値および前記第2のシフト値が、前記浮動小数点定数値の所望の精度に基づいて選択される、請求項7に記載の命令。
【請求項９】
前記指数値がバイアスを含み、バイアス定数が加算されて、前記指数値中に含まれる前記バイアスが補償される、請求項7に記載の命令。
【請求項１０】
前記第3のフィールドが、前記仮数の最上位ビットを備える、請求項7に記載の命令。
【請求項１１】
前記浮動小数点定数値が、IEEE 754の単精度形式または倍精度形式のうちの1つに従って形成される、請求項7に記載の命令。
【請求項１２】
前記命令がデバイスにおいて実施され、前記デバイスが少なくとも1つの半導体ダイに組み込まれる、請求項7に記載の命令。
【請求項１３】
前記命令がデバイスにおいて実施され、前記デバイスが、セットトップボックス、音楽プレーヤ、ビデオプレーヤ、エンターテインメントユニット、ナビゲーションデバイス、通信デバイス、携帯情報端末(PDA)、固定ロケーションデータユニット、およびコンピュータからなるグループから選択される、請求項7に記載の命令。
【請求項１４】
命令から浮動小数点定数値を生成するためのシステムであって、
前記浮動小数点定数値の符号ビットとして、前記命令の第1のフィールドを復号するための手段と、
前記命令の第2のフィールドを復号し、前記命令の第4のフィールドから前記第2のフィールドを第1のシフト値だけシフトし、前記シフトされた第2のフィールドを第1の定数値に加算して、前記浮動小数点定数値の指数値を形成するための手段と、
前記命令の第3のフィールドを復号し、前記命令の第5のフィールドから前記第3のフィールドを第2のシフト値だけシフトし、前記シフトされた第3のフィールドを第2の定数値に加算して、前記浮動小数点定数値の仮数を形成するための手段と、
前記符号ビット、前記指数値、および前記仮数から、前記浮動小数点定数値を生成するための手段と
を備えるシステム。
【請求項１５】
プロセッサによって実行されると、請求項1から6のいずれか一項に記載の方法を前記プロセッサに実行させるコードを備える、コンピュータ可読記憶媒体。
【誤訳訂正書】
【提出日】平成28年5月9日(2016.5.9)
【誤訳訂正１】
【訂正対象書類名】明細書
【訂正対象項目名】００１５
【訂正方法】変更
【訂正の内容】
【００１５】
例えば、無線ネットワークは、典型的に異なるデバイスにマッピングされる、多くの異なる機能を含む。典型的な３Ｇ／４Ｇネットワークは、基地局（ＢＳ）、ＲＣ、ＳＧＳＮ、ＧＧＳＮ、ＳＧＷ、ＰＧＷ、ＭＭＥ、ＤＰＩプローブ、トラフィックアナライザ、ファイアウォール、ＰＣＲＦ、ＡＡＡサーバ、ＬＤＡＰデータベース、課金サーバ、ＨＴＴＰプロキシ、トラフィックオプティマイザ、ビデオオプティマイザ等を含むことができる。これらのネットワークが進化するにつれて、追加される各追加の機能は、異なる機能をホストする同じデバイスにおいて、その機能または複数のハードウェアプロセッサをホストする、新たなデバイスの導入を必要としている。この手法は、いくつかの主要な問題を引き起こす。
【誤訳訂正２】
【訂正対象書類名】明細書
【訂正対象項目名】００２２
【訂正方法】変更
【訂正の内容】
【００２２】
本明細書において説明される本発明は、アプリケーションがアクティブおよびスタンバイの役割にある間の、それらによって必要とされる物理リソースの量を特徴付けし、ハードウェアノードの集合体内でアクティブ／スタンバイ過程の分散をマッピングする。これは、それらの物理リソース要件および高可用性状態に基づいて、ハードウェアノード上で稼働するようにアプリケーションを戦略的に割り当てることによる、最大化されたハードウェア利用をもたらす。
【誤訳訂正３】
【訂正対象書類名】明細書
【訂正対象項目名】００３３
【訂正方法】変更
【訂正の内容】
【００３３】
ＰＧＷサービスは、ユーザ機器に対するトラフィックの出入口点であることによって、ユーザ機器から外部パケットデータネットワークへの接続性を提供する。ＰＧＷサービスは、ポリシー強化、各ユーザに対するパケットフィルタリング、課金サポート、合法的傍受、およびパケットスクリーニングを実施する。
【誤訳訂正４】
【訂正対象書類名】明細書
【訂正対象項目名】００３６
【訂正方法】変更
【訂正の内容】
【００３６】
サービスモジュールは、例えば、半径）／直径、ポリシー個人イベントプロトコル（ＰＥＰ）、パケット転送、コンテンツフィルタリング、セッション管理、ドメイン名システム（ＤＮＳ）サービス、アクセス制御、パケット検査、セッション期間、ＩＰトランスポートＩ／Ｏ、課金機能、ポリシー強化機能、トラフィック誘導機能、待ち時間サービス機能等といった、いくつかのサービスを提供する。
【手続補正書】
【提出日】平成27年12月8日(2015.12.8)
【手続補正１】
【補正対象書類名】特許請求の範囲
【補正対象項目名】全文
【補正方法】変更
【補正の内容】
【特許請求の範囲】
【請求項１】
コンピュータクラウドリソースを管理する方法であって、
オーケストレーションサイトとして機能する少なくとも１つのサーバを介して、少なくとも１つのユーザから少なくとも１つのクラウドリソース管理プランを受けるステップと、
前記少なくとも１つのサーバを介して、前記少なくとも１つのクラウドリソース管理プランを少なくとも１つのストレージに保存するステップと、
オーケストレーションマネージャとして機能する前記少なくとも１つのサーバを介して、前記少なくとも１つのクラウドリソース管理プランを少なくとも１つのデータベースにおいて検索するステップと、
前記クラウドリソース管理プランを、前記少なくとも１つのサーバを介して、少なくとも１つのサイトコントローラで実行するステップとを含む、方法。
【請求項２】
コンピュータクラウドリソースを管理する方法であって、
少なくとも１つのストレージと、
少なくとも１つのサーバとを含み、前記少なくとも１つのサーバは、
少なくとも１つのユーザから少なくとも１つのクラウドコンピューティングリソースオーケストレーションプランを受けるように構成され、
前記クラウドコンピューティングリソースオーケストレーションプランは、少なくとも１つのクラウドリソースを調整するプランを含み、前記少なくとも１つのサーバはさらに、
前記プランの対象のクラウドリソースを同様のタイプにグループ化し、
クラウドリソースの各グループにポリシーを割当て、
少なくとも１つのデータベースに、前記クラウドコンピューティングリソースオーケストレーションプランを保存し、
前記クラウドコンピューティングリソースオーケストレーションプランは実行に対してレディ状態である旨を通信し、
少なくとも１つのサイトコーディネータで前記クラウドコンピューティングリソースオーケストレーションプランの実行を調整するように構成され、
前記少なくとも１つのサイトコントローラはクラウドリソースを制御する、方法。
【請求項３】
コンピュータクラウドリソースを管理するシステムであって、
少なくとも１つのストレージと、
少なくとも１つのサーバとを含み、前記少なくとも１つのサーバは、
オーケストレーションサイトとして機能するように構成され、
前記オーケストレーションサイトは、少なくとも１つのユーザから少なくとも１つのクラウドリソース管理プランを受け、前記少なくとも１つのクラウドリソース管理プランを少なくとも１つのデータベースに保存するように構成され、前記少なくとも１つのサーバはさらに、
オーケストレーションマネージャとして機能するように構成され、
前記オーケストレーションマネージャは、前記少なくとも１つのデータベースから前記少なくとも１つのクラウドリソース管理プランを検索し、前記クラウドリソース管理プランを少なくとも１つのサイトコントローラで実行するように構成される、システム。
【請求項４】
前記オーケストレーションサイトおよび前記オーケストレーションマネージャは、分散型メッセージ通信バス上で通信するようにさらに構成される、請求項３に記載のシステム。
【請求項５】
前記通信は、前記少なくとも１つのクラウドリソース管理プランが実行に対してレディ状態であるかどうかに関する情報を含む、請求項４に記載のシステム。
【請求項６】
前記少なくとも１つのクラウドリソース管理プランは、少なくとも１つのクラウドリソースのグループを含む、請求項３〜５のいずれか１項に記載のシステム。
【請求項７】
前記少なくとも１つのクラウドリソースのグループは、少なくとも１つのクラウドリソース、および前記少なくとも１つのクラウドリソースに関するポリシーを含む、請求項６に記載のシステム。
【請求項８】
前記クラウドリソース管理プランは、前記少なくとも１つのクラウドリソースのグループと他のクラウドリソースのグループとの遣り取りに関する情報を含む、請求項７に記載のシステム。
【請求項９】
前記クラウドリソース管理プランは、前記クラウドリソース管理プランの名称を含む、請求項３〜８のいずれか１項に記載のシステム。
【請求項１０】
前記少なくとも１つのサイトコントローラは、クラウドリソースを含む、請求項３〜９のいずれか１項に記載のシステム。
【請求項１１】
前記ストレージは、データベースおよびクラウドストレージの少なくとも１つである、
請求項３〜１０のいずれか１項に記載のシステム。
【請求項１２】
前記少なくとも１つのクラウドリソース管理プランは、少なくとも１つのサブオーケストレーションを駆動するようマスターオーケストレーションを構成することを含む命令を含む、請求項３〜１１のいずれか１項に記載のシステム。
【請求項１３】
クラウドリソースは、サードパーティにより与えられるオブジェクトおよびサードパーティにより与えられるクラウドサービスの少なくとも１つを含む、請求項３〜１２のいずれか１項に記載のシステム。
【手続補正書】
【提出日】平成28年2月26日(2016.2.26)
【手続補正１】
【補正対象書類名】特許請求の範囲
【補正対象項目名】全文
【補正方法】変更
【補正の内容】
【特許請求の範囲】
【請求項１】
本発明に従って、バイオセンサ手段および／または試薬媒体を含み、かつ生物学的物質のサンプルを受け取るように構成された少なくとも１つのゾーンを備え、前記ゾーンが、除去可能な防湿カバーによって使用の前まで覆われ、
前記カバーもしくは各カバーの除去の時刻または前記除去の時刻の計算を可能にする時刻関連指数を記録するタイミング手段を更に備える、
生物学的検査器具。
【請求項２】
検査ゾーンに関連した受容器にサンプルの添加の前記時刻を記録するためのタイミング手段をさらに備える、
請求項１に記載の器具。
【請求項３】
それぞれがバイオセンサ手段および／または試薬媒体を含み、かつ所定の時間的順序で物質のサンプルを受け取るように構成されたような第１および第２のゾーンを備え、少なくとも、前記より後のサンプルを受け取るように構成された前記ゾーンが、除去可能な防湿カバーによって使用の前まで覆われる、請求項１または２に記載の器具。
【請求項４】
それぞれの除去可能な防湿カバーが、前記ゾーンの両方に結合されている、請求項１〜３のいずれか１項に記載の器具。
【請求項５】
カバーの除去は、前記器具を動作モードまたは構成とする効果がある、請求項１〜４のいずれか１項に記載の器具。
【請求項６】
カバーの除去は、前記カバーによって覆われた検査ゾーンに関連する、行われるべき、手順のステップが必要であることを知らせるアラーム表示をキャンセルする効果がある、請求項１〜５のいずれか１項に記載の器具。
【請求項７】
カバーが、前記器具の使用者が手動で操作するための、前記器具に設けられたタイミング電子素子および／または信号電子素子に関連した、アクチュエータ手段と相互作用する、または前記アクチュエータ手段の機能を再現するように構成されている、請求項１〜６のいずれか１項に記載の器具。
【請求項８】
前記防湿カバーまたは各防湿カバーが、プラスチック材料から、好ましくは、射出成形によって、形成され、かつ前記器具に対してスライド式に着脱されるように構成された成形カバーを含む、請求項１〜７のいずれか１項に記載の器具。
【請求項９】
前記カバーまたは各カバーが、その対応するゾーンを一時的に覆うように前記器具に粘着により固定された剥離ストリップの材料を含む、請求項１〜７のいずれか１項に記載の器具。
【請求項１０】
前記カバーまたは各カバーが乾燥剤を含む、請求項１〜９のいずれか１項に記載の器具。
【請求項１１】
前記カバーまたは各カバーが、それぞれのゾーンだけではなく、検査の実施に関連した特定の手順の表示を除去されるまで覆うように前記器具の隣接部分も覆っている、請求項１〜１０のいずれか１項に記載の器具。
【請求項１２】
温度および／または湿度を検出および記録する手段を更に備える、請求項１〜１１のいずれか１項に記載の器具。
【請求項１３】
電気信号を保存および／または更なる処理のためにデータロギングゾーンに送られる患者の状態を示す前記電気信号を発生させる電子手段を更に備える、請求項１〜１２のいずれか１項に記載の器具。
【請求項１４】
前記データロギングゾーンが、前記器具の残りの部分から取り外し可能であり、前記データロギングゾーンを、ここに送られた前記信号の分析のために送ることができる、請求項１３に記載の器具。
【請求項１５】
前記１つまたは複数のサンプルに関連したデータを処理し、かつ検査結果を表示する電子手段を更に備える、請求項１〜１４のいずれか１項に記載の器具。